(57)【要約】  均一な強度分布を有する光を射出する光源装置。  フライアイ光学系を備える露光装置のフライアイ光学系へ向けて投射される光ビームを生成する光源装置であって、光源と、光源から射出した光ビームをフライアイ光学系へ反射する鏡とを備え、鏡は、フライアイ光学系へ向けて投射される光ビームの中心部より周辺部の強度が小さくなるように光源からの光ビームを反射する。鏡は、フライアイ光学系へ向けて投射される光ビームの周辺部の強度を単調に減少して光を反射してもよい。また、鏡は、フライアイ光学系へ向けて投射される光ビームの周辺部の強度をゼロにまで減少して光を反射してもよい。
2009125530.tif 000002
【特許請求の範囲】
【請求項１】
露光装置が有するフライアイ光学系へ向けて投射する光ビームを生成する光源装置であって、
前記フライアイ光学系に入射される、前記光ビームの周辺部の強度が中心部の強度より小さい、
光源装置。
【請求項２】
光源と、
前記光源から射出した光ビームを前記フライアイ光学系へ向けて投影する光学系と、を備え、
前記光学系は、前記光ビームの中心部より周辺部の強度が小さくなるように前記光ビームを投影する、
請求項１に記載の光源装置。
【請求項３】
前記光学系は、前記光ビームを前記フライアイ光学系へ向けて反射する鏡であり、
前記鏡は、前記光ビームの中心部より周辺部の強度が小さくなるように前記光ビームを反射する、
請求項２に記載の光源装置。
【請求項４】
前記鏡は、前記フライアイ光学系を配置する所定面へ向けて投射される前記光ビームの周辺部の強度を単調に減少して光を反射する、
請求項３に記載の光源装置。
【請求項５】
前記鏡は、前記所定面へ向けて投射される前記光ビームの周辺部の強度を連続的に減少して光を反射する、
請求項４に記載の光源装置。
【請求項６】
前記鏡は、前記所定面へ向けて投射される前記光ビームの周辺部の強度をゼロにまで減少して光を反射する、
請求項４または請求項５に記載の光源装置。
【請求項７】
前記鏡は、前記フライアイ光学系を配置する所定面における前記中心部へ向かう光ビームが反射される第１位置での曲率と、前記所定面における前記周辺部へ向かう光ビームが反射される第２位置での曲率とが異なる曲率で与えられる、
請求項３から請求項６の何れか一項に記載の光源装置。
【請求項８】
前記鏡の反射面の前記第１位置を介した前記光源からの光ビームと、前記鏡の反射面の前記第２位置を介した前記光源からの光ビームとは、前記所定面において異なる位置に到達する、
請求項７に記載の光源装置。
【請求項９】
前記鏡は、周辺部の反射率が中心部の反射率より小さい、
請求項３から請求項８の何れか一項に記載の光源装置。
【請求項１０】
前記鏡は、周辺部の表面が中心部の表面より粗に加工されている、
請求項３から請求項９の何れか一項に記載の光源装置。
【請求項１１】
前記鏡は、中心部より周辺部に密に形成された遮光物を有する、
請求項３から請求項１０の何れか一項に記載の光源装置。
【請求項１２】
前記露光装置により露光される基板は、スキャン方向に移動しつつ露光され、
前記鏡は、前記スキャン方向に略垂直な非スキャン方向に対称に光を反射する、
請求項３から請求項１１の何れか一項に記載の光源装置。
【請求項１３】
前記露光装置により露光される基板は、スキャン方向に移動しつつ露光され、
前記鏡は、前記スキャン方向に略垂直な非スキャン方向に対称に複数の鏡が配置される、
請求項３から請求項１２の何れか一項に記載の光源装置。
【請求項１４】
前記鏡から前記フライアイ光学系に向かう光の光路上に、中心部より周辺部に密に形成された遮光物をさらに備えた、請求項３から請求項１３の何れか一項に記載の光源装置。
【請求項１５】
フライアイ光学系へ向けて投射する光ビームを生成し、前記フライアイ光学系に入射される、前記光ビームの周辺部の強度が中心部の強度より小さい光源装置と、
前記フライアイ光学系を備え、前記光源装置からの光に基づいて、所定のパターンを照明する照明光学系と、
を備えた露光装置。
【請求項１６】
前記光源装置は、
光源と、
前記光源から射出した光ビームを前記フライアイ光学系へ向けて投影する光学系と、を備え、
前記光学系は、前記光ビームの中心部より周辺部の強度が小さくなるように前記光ビームを投影する、
請求項１５に記載の露光装置。
【請求項１７】
前記光学系は、前記光ビームを前記フライアイ光学系へ向けて反射する鏡であり、
前記鏡は、前記光ビームの中心部より周辺部の強度が小さくなるように前記光ビームを反射する、
請求項１６に記載の露光装置。
【請求項１８】
前記鏡は、前記フライアイ光学系を配置する所定面へ向けて投射される前記光ビームの周辺部の強度を単調に減少して光を反射する、
請求項１７に記載の露光装置。
【請求項１９】
前記鏡は、前記所定面へ向けて投射される前記光ビームの周辺部の強度を連続的に減少して光を反射する、
請求項１８に記載の露光装置。
【請求項２０】
前記鏡は、前記所定面へ向けて投射される前記光ビームの周辺部の強度をゼロにまで減少して光を反射する、
請求項１８または請求項１９に記載の露光装置。
【請求項２１】
前記鏡は、前記フライアイ光学系を配置する所定面における前記中心部へ向かう光ビームが反射される第１位置での曲率と、前記所定面における前記周辺部へ向かう光ビームが反射される第２位置での曲率とが異なる曲率で与えられる、
請求項１７から請求項２０の何れか一項に記載の露光装置。
【請求項２２】
前記鏡の反射面の前記第１位置を介した前記光源からの光ビームと、前記鏡の反射面の前記第２位置を介した前記光源からの光ビームとは、前記所定面において異なる位置に到達する、
請求項２１に記載の露光装置。
【請求項２３】
前記鏡は、周辺部の反射率が中心部の反射率より小さい、
請求項１７から請求項２２の何れか一項に記載の露光装置。
【請求項２４】
前記鏡は、周辺部の表面が中心部の表面より粗に加工されている、
請求項１７から請求項２３の何れか一項に記載の露光装置。
【請求項２５】
前記鏡は、中心部より周辺部に密に形成された遮光物を有する、
請求項１７から請求項２４の何れか一項に記載の露光装置。
【請求項２６】
前記鏡は、露光される基板のスキャン方向に略垂直な非スキャン方向に対称に光を反射する、
請求項１７から請求項２５の何れか一項に記載の露光装置。
【請求項２７】
前記鏡は、露光される基板のスキャン方向に略垂直な非スキャン方向に対称に複数の鏡が配置される、
請求項１７から請求項２６の何れか一項に記載の露光装置。
【請求項２８】
前記鏡から前記フライアイ光学系に向かう光の光路上に、中心部より周辺部に密に形成された遮光物をさらに備えた、
請求項１７から請求項２７の何れか一項に記載の露光装置。
【請求項２９】
フライアイ光学系へ向けて投射する光ビームを生成し、前記フライアイ光学系に入射される、前記光ビームの周辺部の強度が中心部の強度より小さい光源装置と、前記フライアイ光学系を備え、前記光源装置からの光に基づいて、所定のパターンを照明する照明光学系と、を備えた露光装置を用いて、所定のパターンを基板に露光する露光工程と、
所定のパターンが転写された前記基板を現像し、前記所定のパターンに対応する形状のマスク層を前記基板の表面に形成する現像工程と、
前記マスク層を介して前記基板の表面を加工する加工工程と
を含む電子デバイスの製造方法。
【請求項３０】
前記光源装置は、
光源と、
前記光源から射出した光ビームを前記フライアイ光学系へ向けて投影する光学系と、を備え、
前記光学系は、前記光ビームの中心部より周辺部の強度が小さくなるように前記光ビームを投影する、
請求項２９に記載の製造方法。
【請求項３１】
前記光学系は、前記光ビームを前記フライアイ光学系へ向けて反射する鏡であり、
前記鏡は、前記光ビームの中心部より周辺部の強度が小さくなるように前記光ビームを反射する、
請求項３０に記載の製造方法。
【請求項３２】
前記鏡は、前記フライアイ光学系を配置する所定面へ向けて投射される前記光ビームの周辺部の強度を単調に減少して光を反射する、
請求項３１に記載の製造方法。
【請求項３３】
前記鏡は、前記所定面へ向けて投射される前記光ビームの周辺部の強度を連続的に減少して光を反射する、
請求項３２に記載の製造方法。
【請求項３４】
前記鏡は、前記所定面へ向けて投射される前記光ビームの周辺部の強度をゼロにまで減少して光を反射する、
請求項３２または請求項３３に記載の製造方法。
【請求項３５】
前記鏡は、前記フライアイ光学系を配置する所定面における前記中心部へ向かう光ビームが反射される第１位置での曲率と、前記所定面における前記周辺部へ向かう光ビームが反射される第２位置での曲率とが異なる曲率で与えられる、
請求項３１から請求項３４の何れか一項に記載の製造方法。
【請求項３６】
前記鏡の反射面の前記第１位置を介した前記光源からの光ビームと、前記鏡の反射面の前記第２位置を介した前記光源からの光ビームとは、前記所定面において異なる位置に到達する、
請求項３５に記載の製造方法。
【請求項３７】
前記鏡は、周辺部の反射率が中心部の反射率より小さい、
請求項３１から請求項３６の何れか一項に記載の製造方法。
【請求項３８】
前記鏡は、周辺部の表面が中心部の表面より粗に加工されている、
請求項３１から請求項３７の何れか一項に記載の製造方法。
【請求項３９】
前記鏡は、中心部より周辺部に密に形成された遮光物を有する、
請求項３１から請求項３８の何れか一項に記載の製造方法。
【請求項４０】
前記鏡は、露光される基板のスキャン方向に略垂直な非スキャン方向に対称に光を反射する、
請求項３１から請求項３９の何れか一項に記載の製造方法。
【請求項４１】
前記鏡は、露光される基板のスキャン方向に略垂直な非スキャン方向に対称に複数の鏡が配置される、
請求項３１から請求項４０の何れか一項に記載の製造方法。
【請求項４２】
前記鏡から前記フライアイ光学系に向かう光の光路上に、中心部より周辺部に密に形成された遮光物をさらに備えた、
請求項３１から請求項４１の何れか一項に記載の製造方法。
【発明の詳細な説明】
【技術分野】
【０００１】
本発明は、光源装置、露光装置および製造方法に関する。より詳細には、フォトリソグラフィに用いる露光光を発生する光源装置と、当該光源装置を含む露光装置と、当該露光装置を用いた電子デバイスの製造方法とに関する。なお、本出願は、下記の米国出願に関連し、下記の米国出願からの優先権を主張する出願である。文献の参照による組み込みが認められる指定国については、下記の出願に記載された内容を参照により本出願に組み込み、本出願の一部とする。
６１／０７１，０４５    出願日  ２００８年０４月０９日
【背景技術】
【０００２】
リソグラフィ技術で用いられる露光装置は、光源において発生した光を、照明光学系を介して照明光としてレチクルに照射して、レチクルにより透過または反射させた上で、投影光学系を介して露光光としてウエハに照射する。これにより、ウエハに塗布された感光材料を感光させる。【０００３】
上記のような露光装置において、照明光学系からレチクルに照射される照明光は均一な照度分布を有することが好ましい。そこで、フライアイレンズまたはフライアイ反射鏡等を用いることにより、照明光の照度分布を均一にすることが提案され、また、実行されている（例えば特許文献１を参照）。
【特許文献１】特開２００６−０１９５１０号公報
【発明の開示】
【発明が解決しようとする課題】
【０００４】
しかしながら、上記のように照度分布を均一化するデバイスを用いても、照明光に顕著な照度分布が残る場合があった。【０００５】
そこで本発明の１つの側面においては、照明光の照度分布を均一にすることを目的とする。この目的は請求の範囲における独立項に記載の特徴の組み合わせにより達成される。また従属項は本発明の更なる有利な具体例を規定する。
【課題を解決するための手段】
【０００６】
上記課題を解決すべく、本発明の第１の形態として、露光装置が有するフライアイ光学系へ向けて投射する光ビームを生成する光源装置であって、フライアイ光学系に入射される、光ビームの周辺部の強度が中心部の強度より小さい、光源装置が提供される。この場合において、光源装置は、光源と、光源から射出した光ビームをフライアイ光学系へ向けた投影する光学系と、を備えてよく、光学系は、光ビームの中心部より周辺部の強度が小さくなるように光ビームを投影してよい。【０００７】
本発明の第２の形態として、フライアイ光学系を備える露光装置のフライアイ光学系へ向けて投射される光ビームを生成する光源装置であって、光源と、光源から射出した光ビームを所定面に配置されるフライアイ光学系へ向けて反射する鏡とを備え、鏡は、所定面における光ビームの中心部より周辺部の強度が小さくなるように光源からの光ビームを反射する光源装置が提供される。【０００８】
また、本発明の第３の形態として、上記光源装置と、フライアイ光学系と、光源装置からの光に基づいて所定のパターンを照明する照明光学系とを備えた露光装置が提供される。【０００９】
更に、本発明の第４の形態として、上記露光装置を用いて、所定のパターンを基板に露光する露光工程と、所定のパターンが転写された基板を現像し、所定のパターンに対応する形状のマスク層を基板の表面に形成する現像工程と、マスク層を介して基板の表面を加工する加工工程とを含む電子デバイスの製造方法が提供される。【００１０】
上記の発明の概要は、本発明の必要な特徴の全てを列挙したものではない。また、これらの特徴群のサブコンビネーションも発明となり得る。
【発明の効果】
【００１１】
本発明によれば、露光装置において、被露光面に照度分布が均一な光ビームを照射することができる。
【図面の簡単な説明】
【００１２】
【図１】露光装置１００の構造を模式的に示す図である。
【図２】フライアイ反射鏡１３４、１３６の構成を示す正面図である。
【図３】集光反射鏡１３２の形状を示す断面図である。
【図４】集光反射鏡１３２の一部の形状を拡大して示す断面図である。
【図５】集光反射鏡１３２の射出光の強度分布を示す図である。
【図６】フライアイ反射鏡１３４の要素光学系１３４ａのそれぞれを介した光ビームによる照度分布を示す図である。
【図７】フライアイ反射鏡１３４の要素光学系１３４ａのそれぞれを介した光ビームによる照度分布を示す図である。
【図８】被露光面における照度分布を示す図である。
【図９】遮光板１３１の形状を示す平面図である。
【図１０】集光反射鏡１３２の他の構造を示す部分拡大断面図である。
【図１１】集光反射鏡１３２のまた他の構造を示す部分拡大断面図である。
【図１２】集光反射鏡１３２の更に他の構造を示す断面図である。
【図１３】集光反射鏡１３２を形成する光学部材１３９の形状を示す断面図である。
【図１４】集光反射鏡１３２の照度分布を示す図である。
【図１５】光源部１２０を含む露光装置１００を用いた製造方法の一例を示すフローチャートである。
【図１６】光源部１２０を含む露光装置１００を用いた製造方法の他の一例を示すフローチャートである。
【符号の説明】
【００１３】
１００  露光装置、１１０  真空槽、１２０  光源部、１２２  レーザ装置、１２４  集光レンズ、１２６  ターゲットノズル、１３０  照明光学系、１３１  遮光板、１３２  集光反射鏡、１３３  突起部、１３４  フライアイ反射鏡、１３６  フライアイ反射鏡、１３５  支持体、１３７  多層膜、１３８  平面反射鏡、１３９  光学部材、１５０  レチクル、１５２  レチクルステージ、１６０  投影光学系、１６１  凹面反射鏡、１６４  凹面反射鏡、１６６  凹面反射鏡、１６２  凸面反射鏡、１６３  凸面反射鏡、１６５  凸面反射鏡、１７０  ウエハ、１７２  ウエハステージ
【発明を実施するための最良の形態】
【００１４】
以下、発明の実施の形態を通じて本発明を説明する。しかしながら、以下の実施形態は請求の範囲に係る発明を限定するものではない。また、実施形態の中で説明されている特徴の組み合わせの全てが発明の解決手段に必須であるとは限らない。【００１５】
図１は、露光装置１００全体の構造を模式的に示す図である。露光装置１００は、光源部１２０、照明光学系１３０、レチクルステージ１５２、投影光学系１６０およびウエハステージ１７２を含む。【００１６】
なお、上記露光装置１００の大部分は、気密な真空槽１１０の内部に形成されるが、光源部１２０の一部は、真空槽１１０の外部に配置される。また、以下の説明においては、図面の記載に従って上、下等と記載する場合がある。しかしながら、露光装置１００の内部のレイアウトがその方向に限られるわけではない。【００１７】
光源部１２０は、レーザ装置１２２、集光レンズ１２４、ターゲットノズル１２６および集光反射鏡１３２を含む。レーザ装置１２２はレーザ光を発生して、集光レンズ１２４を介して真空槽１１０の内部に向かって照射する。【００１８】
ターゲットノズル１２６は、真空槽１１０の内部に配置された先端から、気体状または液体状のターゲット材料を吐出する。集光反射鏡１３２は、楕円弧状の断面形状を有する反射面を有して、ターゲット材料に対するレーザ光の照射箇所が当該楕円弧の一方の焦点ｆ１に重なるように配置される。【００１９】
光源部１２０において、ターゲットノズル１２６からは、ターゲット材料が間欠的に吐出される。レーザ装置１２２から射出されたレーザ光は、集光レンズ１２４により収束されて、吐出されたターゲット材料に対して高い密度で照射される。これにより、プラズマ化したターゲット材料からパルス状の極端紫外線が放射される。放射された極端紫外線は集光反射鏡１３２により集光されて集光反射鏡の反射面の他方の焦点ｆ２で一旦集光した後、発散光ビームとなって照明光学系１３０に導かれる。なお、本実施形態では、光学系として集光反射鏡１３２を例示するが、光学系は集光反射鏡に限定されず、レンズ等の透過型の光学部材を適用することもできる。【００２０】
照明光学系１３０は、一対のフライアイ反射鏡１３４、１３６と、平面反射鏡１３８とを含む。入射側に配置されるフライアイ反射鏡１３４は、並列に配列された複数の凹面鏡を備え、後述する被照射面または露光面としてのレチクル１５０あるいはウエハ（被露光面）１７０と光学的に共役な位置またはその近傍に配置されている。入射側のフライアイ反射鏡１３４に入射したＥＵＶ光は、入射側のフライアイ反射鏡１３４により反射され、フライアイ光学系を構成する他方の射出側のフライアイ反射鏡１３６に入射する。射出側のフライアイ反射鏡１３６は、並列に配列された複数の凹面鏡を備え、照明光学系の瞳面またはその近傍に配置されている。【００２１】
図２は、フライアイ反射鏡１３４、１３６の構成を示す正面図である。図２（ａ）は入射側のフライアイ反射鏡１３４を、図２（ｂ）は射出側のフライアイ反射鏡１３６を、それぞれ示す。【００２２】
入射側のフライアイ反射鏡１３４のそれぞれの要素光学系１３４ａ及び射出側のフライアイ反射鏡１３６のそれぞれの要素光学系１３６ａは、一対一に対応した状態でそれぞれ配列されており、同一の焦点距離を有している。ここで、それぞれの要素光学系１３４ａ，１３６ａは凹面鏡を備えることができる。ここでは、入射側のフライアイ反射鏡１３４のそれぞれの要素光学系１３４ａは、複数の列Ｌ１〜Ｌ６に沿って配列されている。【００２３】
図１に戻って、入射側のフライアイ反射鏡１３４に入射した光束は、入射側のフライアイ反射鏡１３４のそれぞれの要素光学系１３４ａにより波面分割される。入射側のフライアイ反射鏡１３４により波面分割された多数の光束は、射出側のフライアイ反射鏡１３６に入射する。射出側のフライアイ反射鏡１３６のそれぞれの要素光学系１３６ａは、波面分割された個々の光束を１本ずつ受ける。ここで、入射側のフライアイ反射鏡１３４の要素光学系１３４ａとウエハ１７０上の被露光面と共役となるように配置されているので、射出側のフライアイ反射鏡１３６がケーラー照明における面光源となる。【００２４】
フライアイ反射鏡１３６から出射された光は、平面反射鏡１３８に対して浅い入射角で反射された後に、レチクル１５０に向かって照射される。ここで、射出側のフライアイ反射鏡１３６のそれぞれの要素光学系１３６ａは、所定の凹面上に配列されている。すなわち、射出側のフライアイ反射鏡１３６はコンデンサ光学系を兼用している。このため、射出側のフライアイ反射鏡１３６のそれぞれの要素光学系１３６ａで反射された光ビームは、レチクル１５０上を重畳的に照明する。【００２５】
レチクル１５０は、反射面を下方に向けてレチクルステージ１５２に保持される。レチクル１５０は、ガラス基板等を基材として、例えば、多層膜により形成された反射層と、当該反射層の一部の表面を覆う吸収層とを有する。【００２６】
反射層は極端紫外線を反射する。また、吸収層は極端紫外線を吸収する。従って、レチクル１５０により反射された光ビームには、吸収層のパターンに基づく照度分布が形成され、投影光学系１６０に入射される。【００２７】
投影光学系１６０は、複数の凹面反射鏡１６１、１６４、１６６と、複数の凸面反射鏡１６２、１６３、１６５とを含み、全体として、レチクル１５０の反射光を収束させる縮小光学系を形成する。なお、凹面反射鏡１６１、１６４、１６６および凸面反射鏡１６３、１６５は、投影光学系１６０における各反射光の伝播を妨げないように、一部を切り欠いた形状を有する。また、投影光学系１６０は、結像特性、波面収差等を補正する目的で、図示されていない光学特性補正部を備える場合がある。【００２８】
レチクル１５０で反射された光ビームは、複数の反射鏡１６１〜１６６により順次反射された後、ウエハステージ１７２の上面に保持されたウエハ１７０表面に照射される。ウエハ１７０に照射される光ビームは、レチクル１５０の吸収層の形状を反映したパターンの強度分布を有する。一方、ウエハ１７０の表面には感光性を有するフォトレジストが塗布されている。【００２９】
なお、レチクルステージ１５２およびウエハステージ１７２は、それぞれ、水平方向に移動させることができる。レチクルステージ１５２およびウエハステージ１７２に保持されたレチクル１５０およびウエハ１７０も、レチクルステージ１５２およびウエハステージ１７２の移動に従って移動する。【００３０】
これにより、露光装置１００においては、レチクルステージ１５２およびウエハステージ１７２が同期して移動させつつ露光することができる。本実施形態ではこのスキャン露光と、レチクル１５０に対してウエハ１７０をステップ移動させる手順とを繰り返すステップ・アンド・スキャン方式の露光を行う。また、レチクル１５０およびウエハ１７０を共に静止させて露光する手順と、レチクル１５０に対してウエハ１７０をステップ移動させる手順とを繰り返すステップ・アンド・リピート方式で露光することもできる。【００３１】
このように、露光装置１００において露光されるウエハ１７０は、スキャン方向に移動しつつ露光されてもよい。また、このような露光の形態に鑑みて、集光反射鏡１３２は、スキャン方向に略垂直な非スキャン方向に対称に光を反射してもよい。また、集光反射鏡１３２は、スキャン方向に略垂直な非スキャン方向に対称に配置された複数の鏡を有してもよい。これらの構造により、反射面積がより大きい集光反射鏡１３２を容易に製造できる。【００３２】
なお、上記の露光装置１００において光源部１２０は極端紫外線を発生するが、ｇ線（４３６ｎｍ）、ｉ線（３６５ｎｍ）、ＫｒＦエキシマレーザ（２４８ｎｍ）、Ｆ２レーザ（１５７ｎｍ）、Ｋｒ２レーザ（１４６ｎｍ）、Ａｒ２レーザ（１２６ｎｍ）等の他の波長を出力する光源部１２０を用いて露光装置１００を形成することもできる。【００３３】
このように、フライアイ反射鏡１３４、１３６を備える露光装置１００のフライアイ反射鏡１３４に向けて投射される光ビームを生成する光源部１２０であって、発生された光ビームをフライアイ反射鏡１３４に向かって反射する集光反射鏡１３２を備えた光源部１２０が形成される。また、光源部１２０と、フライアイ反射鏡１３４、１３６と、光源部１２０からの光に基づいてレチクル１５０を照明する照明光学系１３０とを備えた露光装置１００が形成される。【００３４】
図３は、集光反射鏡１３２の反射面の形状を示す断面図である。集光反射鏡１３２は、半径Ｄ１を有する反射面に、中心軸Ａの周囲に形成された中心部Ｃと、中心部Ｃの外側に形成された周辺部Ｅとを含む。【００３５】
中心部Ｃは、略楕円弧をなす断面形状を有する。周辺部Ｅは、中心部Ｃから滑らかに連続して形成されるが、径方向の傾きの変化が中心部Ｃとは異なる。【００３６】
即ち、中心部Ｃの断面は楕円弧をなして、その一方の焦点において発生した極端紫外線を反射するので、反射された極端紫外線は、楕円弧の他方の焦点に向かう。これに対して、周辺部Ｅにおいては、反射光が、上記他方の焦点から集光反射鏡１３２の外周側に逸れるように、反射面の傾きが連続的に変化する。【００３７】
このように、集光反射鏡１３２は、径方向について、中心部Ｃにおける所定の点での反射面の曲率と、周辺部Ｅにおける所定の点での反射面の曲率とが異なる曲面を有してもよい。すなわち、集光反射鏡１３２は、径方向について、一対のフライアイ光学系のうち前側のフライアイ反射鏡１３４が配置される所定面に到達する光ビームの中心部に対応する光線が反射される位置での曲率と、この所定面に到達する光ビームの周辺部に対応する光線が反射される位置での曲率とが異なる曲面反射面を有していても良い。これにより、後述するように、集光反射鏡１３２から射出される光ビームには独特の照度分布が形成される。【００３８】
図４は、集光反射鏡１３２の一部の形状を拡大して示す断面図である。図示のように、集光反射鏡１３２の周辺部Ｅの最外周において、反射面に対する接線の傾きは反転して、中心軸Ａに直交する面に対して正の角度をなす。【００３９】
これにより、集光反射鏡１３２の最外周において反射された極端紫外線は、フライアイ反射鏡１３４に入射することなく拡散される。このように、集光反射鏡１３２は、フライアイレチクル１５０に向けて投射される光ビームの周辺部の強度をゼロにまで減少して極端紫外線を反射してもよい。【００４０】
図５は、集光反射鏡１３２で反射されて所定面に配置される入射側のフライアイ反射鏡１３４に向かって照射される光ビームの上記所定面での照度分布を示す図である。図５において、縦軸は光強度Ａ、横軸は所定面上の特定の一方向に沿った位置を示している。なお、図５では特定の一方向を、図２（ａ）における左右方向としており、入射側のフライアイ反射鏡１３４の各要素光学系１３４ａが配列される複数の列Ｌ１〜Ｌ６を併せて図示している。図示のように、中央部Ｃにより反射された光ビームは、光強度の変化が一定となる照度分布を有する。一方、周辺部Ｅにおいては、光強度の変化の割合こそ変化するが、光ビームの最周縁において光強度がゼロになるまで連続的に変化する。【００４１】
一方、周辺部Ｅが形成されなかった場合、即ち、周辺部Ｅまで曲率の変化が中心部Ｃと同じであった場合は、図中に点線で示すように、集光反射鏡１３２の最外周まで光強度の変化は一定になる。ただし、集光反射鏡１３２の最外周で反射された光ビームの最周縁において光強度は突然消滅するので、光強度分布の両端には、急峻なピークＰが形成される。【００４２】
図６は、周辺部Ｅが形成された場合における入射側のフライアイ反射鏡１３４の各要素光学系１３４ａを介した光ビームの被露光面での照度分布を示す図である。図６（ａ）は列Ｌ１に配列された要素光学系１３４ａを介した光ビームの被露光面での照度分布、図６（ｂ）は列Ｌ２に配列された要素光学系１３４ａを介した光ビームの被露光面での照度分布、図６（ｃ）は列Ｌ３に配列された要素光学系１３４ａを介した光ビームの被露光面での照度分布、図６（ｄ）は列Ｌ４に配列された要素光学系１３４ａを介した光ビームの被露光面での照度分布、図６（ｅ）は列Ｌ５に配列された要素光学系１３４ａを介した光ビームの被露光面での照度分布、そして、図６（ｆ）は列Ｌ６に配列された要素光学系１３４ａを介した光ビームの被露光面での照度分布、をそれぞれ示す。【００４３】
一方、図７は、周辺部Ｅが形成されなかった場合における入射側のフライアイ反射鏡１３４の各要素光学系１３４ａを介した光ビームの被露光面での照度分布を示す図である。図７（ａ）は列Ｌ１に配列された要素光学系１３４ａを介した光ビームの被露光面での照度分布、図７（ｂ）は列Ｌ２に配列された要素光学系１３４ａを介した光ビームの被露光面での照度分布、図７（ｃ）は列Ｌ３に配列された要素光学系１３４ａを介した光ビームの被露光面での照度分布、図７（ｄ）は列Ｌ４に配列された要素光学系１３４ａを介した光ビームの被露光面での照度分布、図７（ｅ）は列Ｌ５に配列された要素光学系１３４ａを介した光ビームの被露光面での照度分布、そして、図７（ｆ）は列Ｌ６に配列された要素光学系１３４ａを介した光ビームの被露光面での照度分布、をそれぞれ示す。【００４４】
そして、図８は、被露光面における照度分布を示す図である。図８（ａ）は周辺部Ｅが形成された場合における被露光面での照度分布を示し、図８（ｂ）は周辺部Ｅが形成されなかった場合における被露光面での照度分布を示す。ここで、図８（ａ）に示す照度分布は図６（ａ）〜（ｆ）の各照度分布の和であり、図８（ｂ）に示す照度分布は図７（ａ）〜（ｆ）の各照度分布の和である。【００４５】
前述の通り、入射側のフライアイ反射鏡１３４の各要素光学系１３４ａのそれぞれが被露光面と光学的に共役であるので、図７（ａ）および図７（ｆ）に示すように一つの要素光学系１３４ａのなかで急峻なピークＰが形成されると、図８（ｂ）に示すように、このピークの成分が被露光面での照度分布に段差等の高周波数成分を与えてしまう。このような照度分布の高周波成分は、照度分布補正フィルタあるいは可変スリット等の照度分布補正手段でも補正することが極めて困難である。【００４６】
このようにフライアイ反射鏡１３４、１３６は、単一の要素光学系（凹面反射鏡）の径よりも大きな範囲の照度分布を均一化する作用を有するが、単一の要素光学系の径よりも小さな範囲で急峻に変化する照度分布を均一化することはできない。このため、照明光学系１３０から射出される光ビームに不均一な照度分布が残り、最終的に、ウエハ１７０上のフォトレジストを均一に露光できない。【００４７】
一方、図６（ａ）〜（ｆ）に示すように一つの要素光学系１３４ａのなかで急峻なピークＰが形成されない場合には、図８（ａ）に示すように照度分布が段差等の高周波数成分を持たず、照度分布補正フィルタあるいは可変スリット等の照度分布補正手段によって照度分布の均一化を図ることができる。なお、ピークＰの高さが許容される照度分布の範囲であれば、フライアイ反射鏡１３４に入射する光ビームの照度分布両端をゼロまで低下させなくても足りる。【００４８】
このように、集光反射鏡１３２は、フライアイ反射鏡１３４へ向けて投射される光ビームの中心部Ｃより周辺部の強度が小さくなるように光ビームを反射する光源部１２０が形成される。また、集光反射鏡１３２は、フライアイ反射鏡１３４へ向けて投射される光ビームの周辺部の強度を連続的に減少して光を反射してもよい。更に、集光反射鏡１３２は、フライアイ反射鏡１３４へ向けて投射される光ビームの周辺部Ｅの強度を単調に減少して極端紫外線を反射してもよい。これにより、光ビームの周縁部に急峻な光強度のピークＰが生じることを抑制して、フライアイ反射鏡１３４、１３６により光ビームの照度分布を均一化できる。【００４９】
図９は、図５に示す照度分布を形成する場合に用いる遮光板１３１の形状を示す平面図である。遮光板１３１は、全体として集光反射鏡１３２の反射面よりも大きな径を有し、集光反射鏡１３２から射出される光ビームの径よりも大きな開口を有する。また、開口の内側に向かって突出した多数の突起部１３３を有する。突起部１３３の各々は、先端に向かって、従って、開口の中心に向かって、徐々に幅が細くなる。【００５０】
上記のような遮光板を、集光反射鏡１３２の直前に配置することにより、集光反射鏡１３２の射出する光ビームの外周面付近が、突起部１３３により遮光される。また、光ビームが遮光される割合は、光ビームの中心に近づくに従って減少する。これにより、図４に示した光ビームの照度分布を形成することができる。【００５１】
このような遮光板１３１を用いた場合、集光反射鏡１３２を特別な形状にする必要がない。なお、遮光板１３１の形状は図示の形状に限られるわけではなく、周辺部Ｅに向かって遮光領域が密になる形状を任意に選択でき、例えば、周辺部Ｅに向かって開口率が低下するメッシュ形状とすることもできる。【００５２】
このように、露光装置１００において、集光反射鏡１３２からフライアイ反射鏡１３４に至る光路上に、中心部Ｃより周辺部Ｅに向かって遮光領域が密になる遮光板１３１を有してもよい。これにより、フライアイ反射鏡１３４、１３６に入射する光ビームの光強度の変化に急峻なピークＰが生じることを防止できる。従って、レチクル１５０に、照度分布が均一な光ビームを照射することができる。【００５３】
また、中心部Ｃより周辺部Ｅに向かって遮光領域が密になる遮光板１３１は、集光反射鏡１３２に設けてもよい。即ち、遮光板１３１を集光反射鏡１３２に同軸に装着してもよいし、集光反射鏡１３２の反射面に、光ビームを透過させない層を設けてもよい。これにより、光ビームの光路上に遮光板１３１を配した場合と同様の効果が得られる。【００５４】
図１０は、集光反射鏡１３２の他の構造を示す部分拡大断面図である。図示のように、集光反射鏡１３２は、ガラスまたは金属により形成された支持体１３５と、支持体１３５の上面に形成された多層膜１３７とを有する。多層膜１３７は、Ｍｏ膜およびＳｉ膜を繰り返し積層することにより形成され、膜厚を適切に選択することにより、極端紫外線等でも効率よく反射できる。【００５５】
更に、この集光反射鏡１３２では、周辺部Ｅにおいて、外周に近づくに従って多層膜１３７の積層数が減少する。これにより、外周に近づくにつれて低下する反射率分布を形成できる。なお、このような反射率分布は、多層膜１３７の層数を変化させる構造の他、多層膜１３７の膜厚を変化させる構造によっても形成できる。【００５６】
このように、集光反射鏡１３２は、周辺部Ｅの反射率が中心部Ｃの反射率より小さくてもよい。これにより、フライアイ反射鏡１３４、１３６に入射する光ビームの光強度の変化に急峻なピークＰが生じることを防止できる。従って、レチクル１５０に、照度分布が均一な光ビームを照射することができる。【００５７】
図１１は、集光反射鏡１３２のまた他の構造を示す図である。この集光反射鏡１３２も、支持体１３５と、その表面に形成された多層膜１３７とを有して、多層膜１３７が反射層を形成する。多層膜１３７の表面は、周辺部Ｅにおいて粗面化されている。また、周辺部Ｅに形成された粗面は、集光反射鏡１３２の外周に近づくにつれて、より荒くなるように形成される。【００５８】
このように、集光反射鏡１３２は、周辺部Ｅの表面が中心部Ｃの表面より粗に加工されていてもよい。これにより、フライアイ反射鏡１３４、１３６に入射する光ビームの光強度の変化に急峻なピークＰが生じることを防止できる。従って、レチクル１５０に、照度分布が均一な光ビームを照射することができる。【００５９】
図１２は、集光反射鏡１３２の更に他の構造を示す断面図である。この実施形態に係る集光反射鏡１３２は、複数の光学部材１３９と、遮光板１３１とを含む。【００６０】
光学部材１３９は、光源部１２０から放射された極端紫外線の一部を受光して反射する。また、光学部材１３９の反射面は、所定の焦点に向かって反射光を収束させる曲面を有する。【００６１】
更に、集光反射鏡１３２の中央では、光源部１２０から放射された極端紫外線の一部が、光学部材１３９に入射することなく直接に放射される。この直接に放射された光ビームの光路上には、遮光板１３１が配置される。【００６２】
図１３は、図１２に示した集光反射鏡１３２を形成する光学部材１３９の形状を示す断面図である。光学部材１３９の各々は、その中心部Ｃにおいて、所定の焦点に向かって反射光を収束させる楕円弧状の曲面を有する。一方、光学部材１３９の周辺部Ｅにおいては、図３および図４に示した集光反射鏡１３２と同様に曲率の変化の割合が変わっている。【００６３】
図１４は、図１２において矢印Ｈで示す位置における光ビームの照度分布を示す図である。光学部材１３９の各々の反射光の照度分布は、図中に実線で示される。図示の通り、各光ビームにおいて、各々の光ビームの中心部Ｃに対して、周辺部Ｅの光強度が略ゼロまで低下している。これにより、この光ビームがフライアイ反射鏡１３４に入射した場合には、急峻なピークのない、均一な照度分布の照明光が発生する。【００６４】
一方、光源部１２０から直接に射出された光ビームは、図中に点線で示される。この光ビームは、最も内側の光学部材１３９により遮られることにより幅が画成されるので、周辺部Ｅにおいて信号強度が急峻に低下している。【００６５】
ただし、図１２に示したように、光源部１２０から直接に射出された光ビームの光路上には遮光板１３１が配置される。これにより、この光ビームは、フライアイ反射鏡１３４に入射する前に周辺部の光強度が連続的に低下する。従って、フライアイ反射鏡１３４、１３６により、照度分布が均一化される。【００６６】
図１５は、光源部１２０を含む露光装置１００を用いた半導体デバイスの製造工程を示すフローチャートである。この半導体デバイスの製造方法においては、まず、半導体デバイスの基板となるウエハ１７０に金属膜を蒸着する（ステップＳ４０）。次に、蒸着された金属膜上に、感光性材料であるフォトレジストを塗布する（ステップＳ４２）。【００６７】
続いて、露光装置１００を用いた露光工程として、レチクル１５０に形成されたパターンをウエハ１７０上の各ショット領域に転写する（ステップＳ４４）。即ち、パターンに応じて強度分布を有する光がウエハ１７０上のフォトレジストに照射される。これにより、フォトレジストはパターンに応じて感光される。【００６８】
更に、露光によりパターンが転写されたウエハ１７０に対して、現像工程として、フォトレジストを現像する（ステップＳ４６）。その後、感光および洗浄により形成されたレジストパターンをマスクとして、ウエハ１７０表面にエッチング等の加工を実行する（ステップＳ４８）。【００６９】
なお、レジストパターンは、露光装置１００によって転写されたパターンに対応した領域が残存しまたは除去されて、当該パターンに従ってウエハ１７０表面の一部を覆うレジスト層を意味する。上記ステップＳ４８においては、レジストパターンをマスクとして、ウエハ１７０の表面が加工される。ウエハ１７０に対する加工としては、例えばウエハ１７０表面のエッチングまたは金属膜等の成膜またはエッチングの少なくともひとつが含まれる。【００７０】
このように、露光装置１００を用いて、所定のパターンをウエハ１７０に露光する露光工程と、所定のパターンが転写されたウエハ１７０を現像して、所定のパターンに対応する形状のマスク層をウエハ１７０の表面に形成する現像工程と、マスク層を介してウエハ１７０の表面を加工する加工工程とを含む電子デバイスの製造方法が実行される。【００７１】
図１６は、光源部１２０を含む露光装置１００を用いた液晶表示素子等の液晶デバイスの製造方法を示すフローチャートである。液晶デバイスの製造方法では、パターン形成工程（ステップＳ５０）、カラーフィルタ形成工程（ステップＳ５２）、セル組立工程（ステップＳ５４）およびモジュール組立工程（ステップＳ５６）を順次実行する。【００７２】
ステップＳ５０のパターン形成工程では、プレートＰとしてフォトレジストが塗布されたガラス基板上に、各実施の形態の投影露光装置を用いて回路パターンおよび電極パターン等の所定のパターンを形成する。このパターン形成工程には、各実施の形態の投影露光装置を用いてフォトレジスト層にパターンを転写する露光工程と、パターンが転写されたプレートＰの現像、つまりガラス基板上のフォトレジスト層の現像を行い、パターンに対応する形状のフォトレジスト層を生成する現像工程と、この現像されたフォトレジスト層を介してガラス基板の表面を加工する加工工程とが含まれている。【００７３】
ステップＳ５２のカラーフィルタ形成工程では、Ｒ（Ｒｅｄ）、Ｇ（Ｇｒｅｅｎ）、Ｂ（Ｂｌｕｅ）に対応する３つのドットの組をマトリクス状に多数配列するか、またはＲ、Ｇ、Ｂの３本のストライプを含むフィルタの組を水平走査方向に複数配列したカラーフィルタを形成する。【００７４】
ステップＳ５４のセル組立工程では、ステップＳ５０によって所定パターンが形成されたガラス基板と、ステップＳ５２によって形成されたカラーフィルタとを用いて液晶パネル（液晶セル）を組み立てる。具体的には、例えばガラス基板とカラーフィルタとの間に液晶を注入することで液晶パネルを形成する。【００７５】
ステップＳ５６のモジュール組立工程では、ステップＳ５４によって組み立てられた液晶パネルに対して、この液晶パネルの表示動作を行わせる電気回路およびバックライト等の各種部品を取り付ける。【００７６】
上記のような光源装置、露光装置および製造方法の適用は、半導体デバイスの製造に限定されるわけではない。例えば、液晶表示素子、プラズマ表示素子、撮像素子（ＣＣＤ等）、マイクロマシン、薄膜磁気ヘッド、および、ＤＮＡチップ等の各種デバイスを製造する場合にも広く適用できる。更に、各種デバイスのマスクパターンが形成されたマスク（フォトマスク、レチクル等）を、フォトリソグラフィ工程を用いて製造する場合にも適用できる。【００７７】
以上、本発明を実施の形態を用いて説明したが、本発明の技術的範囲は上記実施の形態に記載の範囲には限定されない。また、上記実施の形態に、多様な変更または改良を加え得ることが当業者に明らかである。更に、変更または改良を加えた形態も本発明の技術的範囲に含まれ得ることは、請求の範囲の記載から明らかである。【００７８】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【産業上の利用可能性】
【００７９】
本発明は半導体産業に利用できる。
【図１】
2009125530.tif 000003
【図２】
2009125530.tif 000004
【図３】
2009125530.tif 000005
【図４】
2009125530.tif 000006
【図５】
2009125530.tif 000007
【図６】
2009125530.tif 000008
【図７】
2009125530.tif 000009
【図８】
2009125530.tif 000010
【図９】
2009125530.tif 000011
【図１０】
2009125530.tif 000012
【図１１】
2009125530.tif 000013
【図１２】
2009125530.tif 000014
【図１３】
2009125530.tif 000015
【図１４】
2009125530.tif 000016
【図１５】
2009125530.tif 000017
【図１６】
2009125530.tif 000018
【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
露光装置が有するフライアイ光学系へ向けて投射する光ビームを生成する光源装置であって、
光源と、
前記光源から射出した光ビームを前記フライアイ光学系へ向けて投影する光学系と
を備え、
前記光学系は、前記フライアイ光学系を配置する所定面へ向けて投射される前記光ビームの周縁部に生じる急峻な光強度のピークを抑制する手段を有する光源装置。
【請求項２】
前記ピークを抑制する手段は、前記光ビームを前記フライアイ光学系へ向けて反射する鏡を有し、
前記鏡は、前記光ビームの中心部より周辺部の強度が小さくなるように前記光ビームを反射する、
請求項１に記載の光源装置。
【請求項３】
前記鏡は、前記フライアイ光学系を配置する所定面へ向けて投射される前記光ビームの周辺部の強度を単調に減少して光を反射する、
請求項２に記載の光源装置。
【請求項４】
前記鏡は、前記所定面へ向けて投射される前記光ビームの周辺部の強度を連続的に減少して光を反射する、
請求項２に記載の光源装置。
【請求項５】
前記鏡は、前記所定面へ向けて投射される前記光ビームの周辺部の強度をゼロにまで減少して光を反射する、
請求項３または請求項４に記載の光源装置。
【請求項６】
前記鏡は、前記フライアイ光学系を配置する所定面における前記中心部へ向かう光ビームが反射される第１位置での曲率と、前記所定面における前記周辺部へ向かう光ビームが反射される第２位置での曲率とが異なる曲率で与えられる、
請求項２から請求項５の何れか一項に記載の光源装置。
【請求項７】
前記鏡の反射面の前記第１位置を介した前記光源からの光ビームと、前記鏡の反射面の前記第２位置を介した前記光源からの光ビームとは、前記所定面において異なる位置に到達する、
請求項６に記載の光源装置。
【請求項８】
前記鏡は、周辺部の反射率が中心部の反射率より小さい、
請求項２から請求項７の何れか一項に記載の光源装置。
【請求項９】
前記鏡は、周辺部の表面が中心部の表面より粗に加工されている、
請求項２から請求項８の何れか一項に記載の光源装置。
【請求項１０】
前記鏡は、中心部より周辺部に密に形成された遮光物を有する、
請求項２から請求項９の何れか一項に記載の光源装置。
【請求項１１】
前記露光装置により露光される基板は、スキャン方向に移動しつつ露光され、
前記鏡は、前記スキャン方向に略垂直な非スキャン方向に対称に光を反射する、
請求項２から請求項１０の何れか一項に記載の光源装置。
【請求項１２】
前記露光装置により露光される基板は、スキャン方向に移動しつつ露光され、
前記鏡は、前記スキャン方向に略垂直な非スキャン方向に対称に複数の鏡が配置される、
請求項２から請求項１１の何れか一項に記載の光源装置。
【請求項１３】
前記鏡から前記フライアイ光学系に向かう光の光路上に、中心部より周辺部に密に形成された遮光物をさらに備えた、請求項２から請求項１２の何れか一項に記載の光源装置。
【請求項１４】
フライアイ光学系へ向けて投射する光ビームを生成する光源装置と、
前記フライアイ光学系を備え、前記光源装置からの光に基づいて、所定のパターンを照明する照明光学系と
を備え、
前記光源装置は、
光源と、
前記光源から射出した光ビームを前記フライアイ光学系へ向けて投影する光学系と
を備え、
前記光学系は、前記フライアイ光学系を配置する所定面へ向けて投射される前記光ビームの周縁部に生じる急峻な光強度のピークを抑制する手段を有する露光装置。
【請求項１５】
前記ピークを抑制する手段は、前記光ビームを前記フライアイ光学系へ向けて反射する鏡であり、
前記鏡は、前記光ビームの中心部より周辺部の強度が小さくなるように前記光ビームを反射する、
請求項１４に記載の露光装置。
【請求項１６】
前記鏡は、前記フライアイ光学系を配置する所定面へ向けて投射される前記光ビームの周辺部の強度を単調に減少して光を反射する、
請求項１５に記載の露光装置。
【請求項１７】
前記鏡は、前記所定面へ向けて投射される前記光ビームの周辺部の強度を連続的に減少して光を反射する、
請求項１５に記載の露光装置。
【請求項１８】
前記鏡は、前記所定面へ向けて投射される前記光ビームの周辺部の強度をゼロにまで減少して光を反射する、
請求項１６または請求項１７に記載の露光装置。
【請求項１９】
前記鏡は、前記フライアイ光学系を配置する所定面における前記中心部へ向かう光ビームが反射される第１位置での曲率と、前記所定面における前記周辺部へ向かう光ビームが反射される第２位置での曲率とが異なる曲率で与えられる、
請求項１５から請求項１８の何れか一項に記載の露光装置。
【請求項２０】
前記鏡の反射面の前記第１位置を介した前記光源からの光ビームと、前記鏡の反射面の前記第２位置を介した前記光源からの光ビームとは、前記所定面において異なる位置に到達する、
請求項１９に記載の露光装置。
【請求項２１】
前記鏡は、周辺部の反射率が中心部の反射率より小さい、
請求項１５から請求項２０の何れか一項に記載の露光装置。
【請求項２２】
前記鏡は、周辺部の表面が中心部の表面より粗に加工されている、
請求項１５から請求項２１の何れか一項に記載の露光装置。
【請求項２３】
前記鏡は、中心部より周辺部に密に形成された遮光物を有する、
請求項１５から請求項２２の何れか一項に記載の露光装置。
【請求項２４】
前記鏡は、露光される基板のスキャン方向に略垂直な非スキャン方向に対称に光を反射する、
請求項１５から請求項２３の何れか一項に記載の露光装置。
【請求項２５】
前記鏡は、露光される基板のスキャン方向に略垂直な非スキャン方向に対称に複数の鏡が配置される、
請求項１５から請求項２４の何れか一項に記載の露光装置。
【請求項２６】
前記鏡から前記フライアイ光学系に向かう光の光路上に、中心部より周辺部に密に形成された遮光物をさらに備えた、
請求項１５から請求項２５の何れか一項に記載の露光装置。
【請求項２７】
フライアイ光学系へ向けて投射する光ビームを生成する光源装置と、前記フライアイ光学系を備え、前記光源装置からの光に基づいて、所定のパターンを照明する照明光学系とを備え、前記光源装置は、光源と、前記光源から射出した光ビームを前記フライアイ光学系へ向けて投影する光学系とを備え、前記光学系は、前記フライアイ光学系を配置する所定面へ向けて投射される前記光ビームの周縁部に生じる急峻な光強度のピークを抑制する手段を有する露光装置を用いて、所定のパターンを基板に露光する露光工程と、
所定のパターンが転写された前記基板を現像し、前記所定のパターンに対応する形状のマスク層を前記基板の表面に形成する現像工程と、
前記マスク層を介して前記基板の表面を加工する加工工程と
を含む電子デバイスの製造方法。
【請求項２８】
前記ピークを抑制する手段は、前記光ビームを前記フライアイ光学系へ向けて反射する鏡であり、
前記鏡は、前記光ビームの中心部より周辺部の強度が小さくなるように前記光ビームを反射する、
請求項２７に記載の製造方法。
【請求項２９】
前記鏡は、前記フライアイ光学系を配置する所定面へ向けて投射される前記光ビームの周辺部の強度を単調に減少して光を反射する、
請求項２８に記載の製造方法。
【請求項３０】
前記鏡は、前記所定面へ向けて投射される前記光ビームの周辺部の強度を連続的に減少して光を反射する、
請求項２８に記載の製造方法。
【請求項３１】
前記鏡は、前記所定面へ向けて投射される前記光ビームの周辺部の強度をゼロにまで減少して光を反射する、
請求項２９または請求項３０に記載の製造方法。
【請求項３２】
前記鏡は、前記フライアイ光学系を配置する所定面における前記中心部へ向かう光ビームが反射される第１位置での曲率と、前記所定面における前記周辺部へ向かう光ビームが反射される第２位置での曲率とが異なる曲率で与えられる、
請求項２８から請求項３１の何れか一項に記載の製造方法。
【請求項３３】
前記鏡の反射面の前記第１位置を介した前記光源からの光ビームと、前記鏡の反射面の前記第２位置を介した前記光源からの光ビームとは、前記所定面において異なる位置に到達する、
請求項３２に記載の製造方法。
【請求項３４】
前記鏡は、周辺部の反射率が中心部の反射率より小さい、
請求項２８から請求項３３の何れか一項に記載の製造方法。
【請求項３５】
前記鏡は、周辺部の表面が中心部の表面より粗に加工されている、
請求項２８から請求項３４の何れか一項に記載の製造方法。
【請求項３６】
前記鏡は、中心部より周辺部に密に形成された遮光物を有する、
請求項２８から請求項３５の何れか一項に記載の製造方法。
【請求項３７】
前記鏡は、露光される基板のスキャン方向に略垂直な非スキャン方向に対称に光を反射する、
請求項２８から請求項３６の何れか一項に記載の製造方法。
【請求項３８】
前記鏡は、露光される基板のスキャン方向に略垂直な非スキャン方向に対称に複数の鏡が配置される、
請求項２８から請求項３７の何れか一項に記載の製造方法。
【請求項３９】
前記鏡から前記フライアイ光学系に向かう光の光路上に、中心部より周辺部に密に形成された遮光物をさらに備えた、
請求項２８から請求項３８の何れか一項に記載の製造方法。
【国際調査報告】
2009125530.tif 000019
2009125530.tif 000020
2009125530.tif 000021
2009125530.tif 000022
2009125530.tif 000023
2009125530.tif 000024